(57)【特許請求の範囲】
【請求項１】
鍵ヘッド部とこの鍵ヘッド部より一体に突設されて鍵穴に差し込まれる鍵挿入部とを有する鍵本体と、前記鍵ヘッド部に装着されるカバー部材と、を備え、前記カバー部材に施錠確認機能を付与した施錠確認機能付き差込鍵であって、前記カバー部材は前記鍵ヘッド部を収容する凹所を有し、この凹所に収容される同鍵ヘッド部の移動に伴って出し入れ動作される表示用突起を前記カバー部材に設け、前記鍵挿入部が前記鍵穴に差し込まれる際の押し込み力によって前記鍵ヘッド部が前記凹所内で移動されることにより、前記表示用突起が前記カバー部材から出し入れ動作されるようになしたものであり、前記カバー部材の一側面部分には前記鍵ヘッド部が出し入れされる開口が形成され、この開口から前記鍵ヘッド部が前記凹所内へと着脱自在に挿入嵌合されて保持されるものであって、前記凹所内には前記鍵ヘッド部の挿入先端部分が当接されて前記表示用突起を動作させる当接板部が設けられていることを特徴とする施錠確認機能付き差込鍵。
【請求項２】
前記カバー部材の凹所周壁部分の外側を施錠操作時の把持部となし、同カバー部材の頭頂部分に前記表示用突起を設けたことを特徴とする請求項１記載の施錠確認機能付き差込鍵。
【請求項３】
前記鍵挿入部が前記鍵穴に差し込まれる際の押し込み力によって、前記表示用突起はその出状態と入状態とが切り替わるように出し入れ動作されるものであることを特徴とする請求項１又は２記載の施錠確認機能付き差込鍵。
【発明の詳細な説明】
【技術分野】
【０００１】
本発明は、鍵ヘッド部とこの鍵ヘッド部より一体に突設されて鍵穴に差し込まれる鍵挿入部とを有する鍵本体と、この鍵本体の鍵ヘッド部に装着されるカバー部材と、を備えた差込鍵であって、カバー部材に施錠確認機能を付与した施錠確認機能付き差込鍵に関するものである。
【背景技術】
【０００２】
従来から、特開平１０−２３８１８０号公報（特許文献１）に示されるように、鍵ヘッド部（把持部５ａ）とこの把持部５ａより一体に突設されて鍵穴（キーシリンダ）に差し込まれる鍵挿入部（操作部５ｃ）とを有する鍵本体（鍵５）と、この鍵５の把持部５ａに装着されるカバー部材（鍵付属品１）と、を備え、鍵付属品１に施錠確認機能を付与した施錠確認機能付き差込鍵は公知である。なお、ここでの符号は特許文献１において用いられている符号である。
【０００３】
この施錠確認機能付き差込鍵は、鍵付属品１が、中空のホルダ２と、ホルダ２に出没自在に内装したスライダー３と、押し操作する毎にスライダー３を突出位置と没入位置とに交互に位置切替えする位置切替え手段４と、を備えている。そして、この施錠確認機能付き差込鍵では、鍵５の操作部５ｃがスライダー３の突出方向に延びるように鍵５の把持部５ａはホルダ２に固定されており、施錠及び開錠のためにキーシリンダに鍵５を挿入する毎に、スライダー３がキーシリンダで押し操作されるように構成されていて、スライダー３の突出状態で施錠状態を確認できるようになっている。
【先行技術文献】
【特許文献】
【０００４】
【特許文献１】特開平１０−２３８１８０号公報
【発明の概要】
【発明が解決しようとする課題】
【０００５】
しかしながら、上記従来の施錠確認機能付き差込鍵にあっては、鍵５の把持部５ａがホルダ２に固定されるものであり、鍵５を挿入した際に、キーシリンダで押し操作されるスライダー３を必要とし、このスライダー３に形成される押し操作部１３がキーシリンダに当接されることも必要となって、構造及び動作が複雑化するという問題があった。
【０００６】
また、キーシリンダに当接されるスライダー３（押し操作部１３）の突出状態で施錠状態を確認するものであるため、見難い位置での確認となり、特に、この場合、スライダー３の押し操作部１３が鍵５の操作部５ｃと重なって視認し難く、表示機能にも問題があった。
【０００７】
本発明は、上記背景技術に鑑みて発明されたもので、その目的は、構造及び動作が簡略化され、表示機能も確実に発揮されて、施錠したか否かの確認を容易に行うことができる施錠確認機能付き差込鍵を提供することである。
【課題を解決するための手段】
【０００８】
上記課題を解決するために、本発明の施錠確認機能付き差込鍵では、鍵ヘッド部とこの鍵ヘッド部より一体に突設されて鍵穴に差し込まれる鍵挿入部とを有する鍵本体と、前記鍵ヘッド部に装着されるカバー部材と、を備え、前記カバー部材に施錠確認機能を付与した施錠確認機能付き差込鍵において、前記カバー部材は前記鍵ヘッド部を収容する凹所を有し、この凹所に収容される同鍵ヘッド部の移動に伴って出し入れ動作される表示用突起を前記カバー部材に設け、前記鍵挿入部が前記鍵穴に差し込まれる際の押し込み力によって前記鍵ヘッド部が前記凹所内で移動されることにより、前記表示用突起が前記カバー部材から出し入れ動作されるようになしたものであり、前記カバー部材の一側面部分には前記鍵ヘッド部が出し入れされる開口が形成され、この開口から前記鍵ヘッド部が前記凹所内へと着脱自在に挿入嵌合されて保持されるものであって、前記凹所内には前記鍵ヘッド部の挿入先端部分が当接されて前記表示用突起を動作させる当接板部が設けられていることを特徴とする。
【０００９】
また、本発明の施錠確認機能付き差込鍵では、前記カバー部材の凹所周壁部分の外側を施錠操作時の把持部となし、同カバー部材の頭頂部分に前記表示用突起を設けた構成であることが好ましい。
【００１０】
また、本発明の施錠確認機能付き差込鍵では、前記鍵挿入部が前記鍵穴に差し込まれる際の押し込み力によって、前記表示用突起はその出状態と入状態とが切り替わるように出し入れ動作されるものであってもよい。
【発明の効果】
【００１１】
本発明の施錠確認機能付き差込鍵においては、カバー部材が有する凹所に収容される鍵ヘッド部の移動に伴って表示用突起がカバー部材から出し入れ動作されるので、鍵挿入部が鍵穴に差し込まれる際の押し込み力によって表示用突起はカバー部材から出し入れ動作され、この表示用突起が出状態であるか入状態であるかを確認することによって施錠したか否かの確認を容易に行うことができる。
【００１２】
しかも、この場合、鍵挿入部が鍵穴に差し込まれる際の押し込み力によって鍵ヘッド部が凹所内で移動されるものであり、この移動に伴って表示用突起がカバー部材から出し入れ動作されるものであるので、上記背景技術におけるような当接動作をなすスライダーは不要で、構造及び動作が簡略化されており、一般形状の差込鍵を鍵本体として用い、この鍵本体の鍵ヘッド部にカバー部材を装着することもでき、表示用突起によって表示機能も確実に発揮されるものである。
【図面の簡単な説明】
【００１３】
【図１】本発明の一実施形態である施錠確認機能付き差込鍵を示す外観図であり、（ａ）は開錠状態（出状態）を示し、（ｂ）は施錠状態（入状態）を示している。
【図２】（ａ）、（ｂ）は各々図１（ａ）、（ｂ）におけるＡ部分の概略断面図である。
【発明を実施するための形態】
【００１４】
図１、２は、本発明の一実施形態である施錠確認機能付き差込鍵を示している。この実施形態の施錠確認機能付き差込鍵は、鍵ヘッド部１とこの鍵ヘッド部１より一体に突設されて鍵穴（図示せず）に差し込まれる鍵挿入部２とを有する鍵本体３と、鍵ヘッド部１に装着されるカバー部材４と、を備えており、カバー部材４に施錠確認機能が付与されたものである。そして、カバー部材４は鍵ヘッド部１を収容する凹所５を有し、この凹所５に収容される同鍵ヘッド部１の移動に伴って出し入れ動作される表示用突起６をカバー部材４に設けている。この場合、鍵挿入部２が鍵穴に差し込まれる際の押し込み力によって鍵ヘッド部１が凹所５内で移動されることにより、表示用突起６がカバー部材４から出し入れ動作されるものである。
【００１５】
この実施形態では、カバー部材４の凹所５周壁部分の外側を施錠操作時の把持部７となし、同カバー部材４の頭頂部分８に表示用突起６を設けている。そして、鍵挿入部２が鍵穴に差し込まれる際の押し込み力によって、表示用突起６はその出状態と入状態とが切り替わるように出し入れ動作されるものでもある。
【００１６】
以下、この実施形態の施錠確認機能付き差込鍵をより具体的に説明する。まず、図１に示すように、鍵本体３は、矩形板状の鍵ヘッド部１と帯板状の鍵挿入部２とが金属によっ
て一体に形成されたもので、カバー部材４が装着されていなくても施錠、開錠操作を行えるものである。この場合、鍵ヘッド部１を手で持ち、鍵挿入部２を鍵穴に差し込んで、鍵本体３を一方向に回動させて施錠し、反対方向に回動させて開錠することができる。したがって、一般に市販されている差込鍵を鍵本体３として用い、この鍵本体３の鍵ヘッド部１にカバー部材４を装着すればよい。
【００１７】
カバー部材４は合成樹脂にて中空形状に形成されたもので、その中空内部が鍵ヘッド部１を収容する凹所５となる。カバー部材４の一側面部分には鍵ヘッド部１が出し入れされる開口９が形成され、この開口９から鍵本体３の鍵ヘッド部１が凹所５内へと着脱自在に挿入嵌合されて保持される。この場合、鍵ヘッド部１が開口９から抜け外れないよう、凹所５内にストッパー構造を設けてもよい。カバー部材４の開口９が形成される一側面部分と対向する他側面部分（頭頂部分８）には、表示用突起６が出し入れ自在に突設されている。表示用突起６は、鍵挿入部２が鍵穴に差し込まれる際の押し込み力によって、その出状態と入状態とが切り替わるように出し入れ動作される。
【００１８】
次に、表示用突起６の出状態と入状態とが切り替わる出し入れ動作について、図２に基づき説明する。カバー部材４の凹所５には、表示用突起６の出状態と入状態とを切り替える切り替え機構Ｘが内蔵されている。この切り替え機構Ｘは、ノック式ボールペンに採用されるカム機構と同様で、ノック式ボールペンの場合に、一回押すと芯が出て、もう一回押すと芯が引っ込むのと同様に、カバー部材４の凹所５内に鍵本体３の鍵ヘッド部１が一回押し込まれると表示用突起６が出状態（図１、２の（ａ）状態）となり、もう一回押し込まれると表示用突起６が入状態（図１、２の（ｂ）状態）となる。この動作を繰り返すことによって、表示用突起６の出状態と入状態とが切り替え動作される。
【００１９】
切り替え機構Ｘは、カバー部材４の凹所５内に固定される固定板部１０と、この固定板部１０に対して移動自在に保持される可動板部１１と、この可動板部１１の鍵本体３側に一体に突設されるノック部１２と、同固定板部１０の鍵本体３側に圧縮バネ１３を介して保持される当接板部１４と、同可動板部１１の表示用突起６側に設けられるカム構成部１５と、表示用突起６を固定板部１０に連結して同表示用突起６をカバー部材４側へと付勢する引っ張りバネ１６と、を有している。ここでのカム構成部１５は、ノック式ボールペンに採用されるカム機構と同様の基本構成であるので、その詳細説明は省略するが、ノック部１２を押す動作を繰り返すことによって、表示用突起６の出状態と入状態とが切り替えられるものである。
【００２０】
すなわち、施錠操作の際に、カバー部材４外側の把持部７を手で持って鍵挿入部２を鍵穴に差し込むと、その差し込む押し込み力によって、鍵ヘッド部１が凹所５内を移動して当接板部１４を介しノック部１２を押し、これにより、可動板部１１はカム構成部１５を介して表示用突起６を出し動作させる。その際、表示用突起６は引っ張りバネ１６のバネ力に抗して出し動作され、カム構成部１５によって出し動作された同表示用突起６が出状態で停止される。
【００２１】
開錠操作の際にも、カバー部材４外側の把持部７を手で持って鍵挿入部２を鍵穴に差し込むと、その差し込む押し込み力によって、鍵ヘッド部１が凹所５内を移動して当接板部１４を介しノック部１２を押し、これにより、可動板部１１はカム構成部１５を介して表示用突起６を入れ動作させる。その際、表示用突起６は引っ張りバネ１６のバネ力によって入れ動作され、カム構成部１５によって入れ動作された同表示用突起６が入状態で停止される。
【００２２】
この場合、鍵挿入部２が鍵穴に差し込まれる際の押し込み力によって、表示用突起６はその出状態と入状態とが切り替わるように出し入れ動作されるものである。ここで、出状
態を施錠忘れの開錠状態として確認するか、入状態を施錠忘れの開錠状態として確認するかは、使用者の所望により選択自由であるが、図示するように、出状態を施錠忘れの開錠状態として確認した方が、視認及び手触り感で意識することができて好ましい。また、この場合には、出状態にある表示用突起６を視認され易くするために、カバー部材４とは異なる色、例えば、赤色や黄色にしておくことも好ましい。
【００２３】
したがって、この実施形態の施錠確認機能付き差込鍵においては、カバー部材４が有する凹所５に収容される鍵ヘッド部１の移動に伴って表示用突起６がカバー部材４から出し入れ動作されるので、鍵挿入部２が鍵穴に差し込まれる際の押し込み力によって表示用突起６はカバー部材４から出し入れ動作され、この表示用突起６が出状態であるか入状態であるかを確認することによって施錠したか否かの確認を容易に行うことができる。
【００２４】
しかも、この場合、鍵挿入部２が鍵穴に差し込まれる際の押し込み力によって鍵ヘッド部１が凹所５内で移動されるものであり、この移動に伴って表示用突起６がカバー部材４から出し入れ動作されるものであって、構造及び動作が簡略化されており、表示用突起６によって表示機能も確実に発揮されるものである。
【００２５】
また、カバー部材４の凹所５周壁部分の外側を施錠操作時の把持部７となし、同カバー部材４の頭頂部分８に表示用突起６を設けた構成であるので、施錠操作時にカバー部材４を持つ手が表示用突起６の出し入れ動作の邪魔をせず、表示用突起６を確認し易くて表示機能も向上されるものである。
【００２６】
更に、鍵挿入部２が鍵穴に差し込まれる際の押し込み力によって、表示用突起６はその出状態と入状態とが切り替わるように出し入れ動作されるものであるので、切り替え機構Ｘとして、ノック式ボールペンのカム機構と同様の基本構成となるカム構成部１５を採用することができ、カバー部材４を手で持っての押し込み力によって、表示用突起６の出状態と入状態とを切り替える出し入れ動作を簡単且つ確実に行うこともできる。また、この場合、出状態を施錠忘れの開錠状態として確認するか、入状態を施錠忘れの開錠状態として確認するかは、使用者が所望により自由に選択することができる。そして、鍵ヘッド部１の当接板部１４に対する当接押圧力が所定以下であれば、圧縮バネ１３の存在によって当接板部１４がノック部１２には当たらず、表示用突起６の不用意な出し入れ動作が防止されるものでもある。
【００２７】
なお、上記実施形態にあっては、鍵挿入部２が鍵穴に差し込まれる際の押し込み力により、表示用突起６はその出状態と入状態とが切り替わるように出し入れ動作されるものであって、その切り替え機構Ｘとして、ノック式ボールペンのカム機構と同様の基本構成となるカム構成部１５を採用したものであったが、本発明にあっては、この構成に限られない。すなわち、鍵挿入部が鍵穴に差し込まれる際の押し込み力によって鍵ヘッド部が凹所内で移動されることにより、表示用突起がカバー部材から出し入れ動作されるようになっていればよいもので、例えば、鍵ヘッド部が凹所内で移動されることにより、手動で表示用突起をカバー部材に入れ動作することができる状態となるような構成としてもよい。
【００２８】
また、上記実施形態にあっては、カバー部材４の頭頂部分８に表示用突起６を設けたものであったが、表示用突起６はカバー部材４から出し入れ動作されればよく、カバー部材４の外壁部分のどの位置に設けられてもよい。ただ、表示用突起の動作性、表示機能性を鑑みると、表示用突起６はカバー部材４の頭頂部分８に設けられることが好ましい。
【符号の説明】
【００２９】
１  鍵ヘッド部
２  鍵挿入部
３  鍵本体
４  カバー部材
５  凹所
６  表示用突起
７  把持部
８  頭頂部分
【図１】
0005903662.tif 000002
【図２】
0005903662.tif 000003